(57)【特許請求の範囲】
【請求項１】
染料混合物であって、
式（Ｉ−１）の染料と、
【化１】
0005876508.tif 000038
式（ＩＩ−１）の染料と、を含む染料混合物。
【化２】
0005876508.tif 000039
【請求項２】
式（ＩＩＩ）の少なくとも１種の染料を更に含む、請求項１記載の染料混合物。
【化３】
0005876508.tif 000040
［式中、
Ｒ１３が、水素、シアノ、又はカルボキサミドであり、
Ｒ１４が、メチル、エチル、又はフェニルであり、
Ｒ１５が、任意に置換された（Ｃ１〜Ｃ６）−アルキル、又は任意に置換された酸素を組込んだ（Ｃ２〜Ｃ６）−アルキルであり、そして
Ｄ３が、ジアゾ成分の残基を表す］
【請求項３】
Ｒ１３が、シアノであり、
Ｒ１４が、エチル又はメチルであり、そして
Ｒ１５が、メチル、エチル、ｎ−プロピル、ｓｅｃ−プロピル、ｎ−ブチル、ｓｅｃ−ブチル、１−エチルペンチル、メトキシメチル、メトキシエチル、エトキシメチル、エトキシエチル、−ＣｙＨ２ｙ−ＣＯＯ−ＣＨ２−ＣＯ−Ｃ６Ｈ５（ここで、ｙ＝１、２、３、又は４）、又は−ＣｙＨ２ｙ−Ｏ−（Ｃ１〜Ｃ４−アルキル）（ここで、ｙ＝１、２、３、又は４）である、請求項２に記載の染料混合物。
【請求項４】
式（ＩＩＩａ）の少なくとも１種の染料を更に含む、請求項１〜３のいずれか１項に記載の染料混合物。
【化４】
0005876508.tif 000041
［式中、
Ｒ１３が、水素、シアノ、又はカルボキサミドであり、
Ｒ１４が、メチル、エチル、又はフェニルであり、
Ｒ１５が、場合によっては置換された（Ｃ１〜Ｃ６）−アルキル、又は場合によっては置換された酸素で中断された（Ｃ２〜Ｃ６）−アルキルであり、そして
Ｄ５が、式（ＩＶａ）の基である］
【化５】
0005876508.tif 000042
［式中、
Ｔ１及びＴ２がそれぞれ独立して、水素、（Ｃ１〜Ｃ６）−アルキル、（Ｃ１〜Ｃ４）−アルコキシ、−ＳＯ２（Ｃ１〜Ｃ６）−アルキル、−ＳＯ２−アリール、シアノ、ハロゲン若しくはニトロであるか、又はＴ１とＴ２とが組み合わさって、残基−ＣＯＮＴ１４ＣＯ−（ここで、Ｔ１４が、水素、又は（Ｃ１〜Ｃ６）−アルキルである）を形成し、
そして
Ｔ３及びＴ４がそれぞれ独立して、水素、ハロゲン、トリフルオロメチル、シアノ、−ＳＣＮ、−ＳＯ２ＣＨ３、又はニトロであるが、
ただしＴ１、Ｔ２、Ｔ３、及びＴ４の内の少なくとも一つが水素ではない］
【請求項５】
式（ＩＩＩｂ）の少なくとも１種の染料を更に含む、請求項１〜４のいずれか１項に記載の染料混合物。
【化６】
0005876508.tif 000043
［式中、
Ｒ１３が、水素、シアノ、又はカルボキサミドであり、
Ｒ１４が、メチル、エチル、又はフェニルであり、
Ｒ１５が、任意に置換された（Ｃ１〜Ｃ６）−アルキル、又は任意に置換された酸素を組込んだ（Ｃ２〜Ｃ６）−アルキルであり、そして
Ｄ７が、式（ＩＶａ）の基（ここで、Ｔ１はニトロまたは−ＯＣＨ３である）である］
【請求項６】
式（ＩＩＩｃ）の少なくとも１種の染料を更に含む、請求項１〜５のいずれか１項に記載の染料混合物。
【化７】
0005876508.tif 000044
［式中、
Ｒ１３が、水素、シアノ、又はカルボキサミドであり、
Ｒ１４が、メチル、エチル、又はフェニルであり、
Ｒ１５；が、場合によっては置換された（Ｃ１〜Ｃ６）−アルキルであり、そして
Ｄ９が、式（ＩＶａ）の基であって、ここで
Ｔ１が、ニトロ又は−ＯＣＨ３であり、
Ｔ２が、水素であり、
Ｔ３が、水素、塩素、臭素、ニトロ、又はシアノ、又はヒドロキシルであり、そして
Ｔ４が、水素、塩素、臭素、ニトロ、又はシアノである］
【請求項７】
疎水性材料を染色又は捺染するための、請求項１〜６のいずれか１項に記載の染料混合物の使用。
【請求項８】
請求項１〜６のいずれか１項に記載の染料混合物を含む、インクジェットプロセスによるデジタル織物捺染のためのインキ。
【発明の詳細な説明】
【技術分野】
【０００１】
本発明は、疎水性織物材料を染色するための分散染料の分野に関する。
【背景技術】
【０００２】
染料発色団が２−オキソアルキルケト基に結合されている分散アゾ染料は公知であって、たとえば以下の特許に記載されている：特許文献１、特許文献２、特許文献３、特許文献４、さらには特許文献５、及び特許文献６。これらの文献のいずれにも、染料混合物は記載されていない。
特許文献７には、染料混合物が使用可能な染色プロセスが開示されている。−ＳＯ２Ｆ基を有するアゾ染料に関連したものであって、それらは、染料混合物として使用するか、あるいは−ＳＯ２Ｆ基を有さない染料との混合物として使用することができる。記載されている可能性のある対象として、染料発色団が２−オキソアルキルケト基に結合しているアゾ染料が含まれている。
【先行技術文献】
【特許文献】
【０００３】
【特許文献１】国際公開第２００９／０３７２１５Ａ２号パンフレット
【特許文献２】国際公開第２００８／０９００４２Ａ１号パンフレット
【特許文献３】国際公開第２００８／０４９７５８Ａ２号パンフレット
【特許文献４】国際公開第２００５／０５６６９０Ａ１号パンフレット
【特許文献５】英国特許出願公開第９０９８４３Ａ号明細書
【特許文献６】独国特許出願公開第２６  １２  ７４２Ａ１号明細書
【特許文献７】国際公開第９５／２００１４Ａ１号パンフレット
【発明の概要】
【課題を解決するための手段】
【０００４】
以下において定義される、２−オキソアルキルケト含有分散アゾ染料とさらに選択された分散アゾ染料との混合物が、ポリエステル材料及びポリエステル−エラスタン材料上の染色の洗濯堅牢性及び接触堅牢性並びに昇華堅牢性の面で、個別の染料よりも明らかに優れていることが今や見出された。
【０００５】
本発明は以下のものを含む染料混合物を提供する。
式（Ｉ）の少なくとも１種の染料と、
【化１】
0005876508.tif 000002
［式中、
Ｒ１が、水素、（Ｃ１〜Ｃ６）−アルキル、（Ｃ１〜Ｃ４）−アルコキシ、ヒドロキシル、ハロゲン、−ＮＨＣＨＯ、−ＮＨＣＯ（Ｃ１〜Ｃ６）−アルキル、−ＮＨＣＯ−アリール、−ＮＨＳＯ２（Ｃ１〜Ｃ６）−アルキル、又は−ＮＨＳＯ２−アリールであり；
Ｒ２が、水素、ハロゲン、（Ｃ１〜Ｃ４）−アルコキシ、（Ｃ１〜Ｃ４）−アルキル、又はアリールオキシであり、
Ｒ３が、水素、（Ｃ１〜Ｃ６）−アルキル、置換された（Ｃ１〜Ｃ６）−アルキル、（Ｃ３〜Ｃ４）−アルケニル、若しくは置換された（Ｃ３〜Ｃ４）−アルケニル、特にベンジル、ブチル、２−シアノエチル、若しくは式−ＣＨＲ４−ＣｎＨ２ｎ−ＣＨＲ６−ＣＯＯ−ＣＨＲ７−ＣＯ−Ｒ５の残基であるか、又は、Ｒ２とＲ３とが組み合わさって、残基−Ｃ＊Ｈ（ＣＨ３）ＣＨ２Ｃ（ＣＨ３）２−（ここで＊印をつけた炭素原子がフェニル核に結合している）を形成し、
Ｒ４が、水素、（Ｃ１〜Ｃ６）−アルキル、又はフェニルであり、
Ｒ５が、（Ｃ１〜Ｃ６）−アルキル又は置換された（Ｃ１〜Ｃ６）−アルキルであり、
Ｒ６が、水素又は（Ｃ１〜Ｃ６）−アルキルであり、
Ｒ７が、水素、（Ｃ１〜Ｃ６）−アルキル、又はフェニルであり、そして
ｎが、０、１、２又は３である］
式（ＩＩ）の少なくとも１種の染料と、
【化２】
0005876508.tif 000003
［式中、
Ｒ８が、水素、（Ｃ１〜Ｃ６）−アルキル、（Ｃ１〜Ｃ４）−アルコキシ、ヒドロキシル、ハロゲン、−ＮＨＣＨＯ、−ＮＨＣＯ（Ｃ１〜Ｃ６）−アルキル、−ＮＨＣＯ−アリール、−ＮＨＳＯ２（Ｃ１〜Ｃ６）−アルキル、又は−ＮＨＳＯ２−アリールであり、
Ｒ９が、水素、ハロゲン、（Ｃ１〜Ｃ４）−アルコキシ、（Ｃ１〜Ｃ４）−アルキル、又はアリールオキシであり、
Ｒ１０が、水素、（Ｃ１〜Ｃ６）−アルキル、置換された（Ｃ１〜Ｃ６）−アルキル、（Ｃ３〜Ｃ４）−アルケニル、若しくは置換された（Ｃ３〜Ｃ４）−アルケニル、特に式−ＣＨＲ１１−ＣｍＨ２ｍ−（Ｘ）ｏ−Ｒ１２の残基であるか、又はＲ９とＲ１０とが組み合わさって、残基−Ｃ＊Ｈ（ＣＨ３）ＣＨ２Ｃ（ＣＨ３）２−（ここで＊印をつけた炭素原子がフェニル核に結合している）を形成し、
Ｒ１１が、水素、（Ｃ１〜Ｃ６）−アルキル、又はフェニルであり、
Ｒ１２が、水素、（Ｃ１〜Ｃ６）−アルキル、置換された（Ｃ１〜Ｃ６）−アルキル、（Ｃ３〜Ｃ４）−アルケニル、又は置換された（Ｃ３〜Ｃ４）−アルケニルであり、
Ｘが、−ＣＯ−Ｏ−、−Ｏ−ＣＯ−、−Ｏ−、−ＮＨ−、又は−Ｓ−であり、
ｏが、０、又は１であり、
ｍが、０、１、２、又は３であり、そして
Ｄ１及びＤ２が、同じであるか異なっていて、それらそれぞれが、ジアゾ成分の残基を表している］
及び／又は、式（ＩＩＩ）の少なくとも１種の染料。
【化３】
0005876508.tif 000004
［式中、
Ｒ１３が、水素、シアノ、又はカルボキサミドであり、
Ｒ１４が、メチル、エチル、又はフェニルであり、
Ｒ１５が、任意に置換された（Ｃ１〜Ｃ６）−アルキル、又は任意に置換された酸素を組込んだ（Ｃ２〜Ｃ６）−アルキルであり、そして
Ｄ３が、ジアゾ成分の残基を表す］
【０００６】
ジアゾ成分の残基であるＤ１、Ｄ２、及びＤ３は、より具体的には、分散染料の分野において常用される残基であって、当業者には公知である。
【０００７】
好ましくは、Ｄ１、Ｄ２、及びＤ３がそれぞれ独立して、
式（ＩＶａ）の基を表すか、
【化４】
0005876508.tif 000005
［式中、
Ｔ１及びＴ２がそれぞれ独立して、水素、（Ｃ１〜Ｃ６）−アルキル、（Ｃ１〜Ｃ４）−アルコキシ、−ＳＯ２（Ｃ１〜Ｃ６）−アルキル、−ＳＯ２−アリール、シアノ、ハロゲン若しくはニトロであるか、又はＴ１とＴ２とが組み合わさって、残基−ＣＯＮＴ１４ＣＯ−（ここでＴ１４が、水素、又は（Ｃ１〜Ｃ６）−アルキルである）を形成し、そして
Ｔ３及びＴ４がそれぞれ独立して、水素、ハロゲン、トリフルオロメチル、シアノ、−ＳＣＮ、−ＳＯ２ＣＨ３、又はニトロであるが、
ただしＴ１、Ｔ２、Ｔ３、及びＴ４の内の少なくとも一つが水素ではない］
又は、式（ＩＶｂ）の基を表すか、
【化５】
0005876508.tif 000006
［式中、
Ｔ５及びＴ５’がそれぞれ独立して、水素又はハロゲンであり、そして
Ｔ６が、水素、−ＳＯ２ＣＨ３、−ＳＣＮ、（Ｃ１〜Ｃ４）−アルコキシ、ハロゲン、又はニトロであるが、
ただし、ここでＴ５、Ｔ５’、及びＴ６の内の少なくとも一つが水素ではない］
又は、式（ＩＶｃ）の基を表すか、
【化６】
0005876508.tif 000007
［式中、
Ｔ１２が、水素又はハロゲンである］
又は、式（ＩＶｄ）の基を表すか、
【化７】
0005876508.tif 000008
［式中、
Ｔ７が、ニトロ、−ＣＨＯ、シアノ、−ＣＯＣＨ３、又は式（ＩＶｄａ）の基、
【化８】
0005876508.tif 000009
（式中、Ｔ１０が、水素、ハロゲン、ニトロ、若しくはシアノである）、
若しくは式（ＩＶｄｂ）の基のいずれかであり、
【化９】
0005876508.tif 000010
（式中、Ｔ１５が、（Ｃ１〜Ｃ６）−アルキルである）
Ｔ８が、水素、（Ｃ１〜Ｃ６）−アルキル、又はハロゲンであり、そして
Ｔ９が、ニトロ、シアノ、−ＣＯＣＨ３、又はＣＯＯＴ１１である（ここでＴ１１は（Ｃ１〜Ｃ４）−アルキルである）］
又は、式（ＩＶｅ）の基を表すか、
【化１０】
0005876508.tif 000011
［式中、Ｔ７及びＴ８が、それぞれ先に定義されたものである］
又は、式（ＩＶｆ）の基を表す。
【化１１】
0005876508.tif 000012
［式中、Ｔ１３が、フェニル又は−Ｓ−（Ｃ１〜Ｃ４）−アルキルである］
【０００８】
本発明に関しては、アルキル基は、直鎖状であっても分岐状であってもよい。Ｃ１〜Ｃ６−アルキルは、たとえばメチル、エチル、ｎ−プロピル、ｉ−プロピル、ｎ−ブチル、ｉ−ブチル、ｔｅｒｔ−ブチル、ｎ−ペンチル、又はｎ−ヘキシルである。同様の考えはアルコキシ基にもあてはまり、それらはたとえば、メトキシ、又はエトキシである。
【０００９】
Ｃ１〜Ｃ６−アルキル基の上の置換基は、一価のヒドロカルビル基、又はシアノ、チオシアナト、ニトロ、ヒドロキシル、アルコキシ、カルボキシル、スルホン酸、カルボン酸エステル、カルボキサミド、又はアミノ基、さらにはハロゲン原子とすることができる。一価のヒドロカルビル基としては、アルキル、シクロアルキル、アリール、又はヘテロシクリル基が挙げられる。
【００１０】
（Ｃ３〜Ｃ４）−アルケニル基としては、特に、アリルが好ましい。
【００１１】
（Ｃ３〜Ｃ４）−アルケニルにおける置換基は、たとえばハロゲン及びフェニルである。
【００１２】
アリールは、具体的には、フェニル、又はナフチルである。アリールオキシは、具体的には、ナフチルオキシ、又はフェニルオキシである。アリール又はアリールオキシにおける置換基は、たとえば、ハロゲン、メチル、エチル、ヒドロキシエチル、メトキシ、エトキシ、ヒドロキシル、ニトロ、及びシアノである。
【００１３】
−ＮＨＳＯ２−アリールは、具体的には、フェニルスルホニルアミノである。
【００１４】
ハロゲンは、フッ素、塩素、臭素、又はヨウ素、好ましくは塩素又は臭素である。
【００１５】
Ｒ１は、好ましくは、水素、メチル、エチル、ｎ−プロピル、ｓｅｃ−プロピル、ｎ−ブチル、ｓｅｃ−ブチル、メトキシ、エトキシ、ヒドロキシル、塩素、臭素、−ＮＨＣＨＯ、−ＮＨＣＯ−メチル、−ＮＨＣＯ−フェニル、−ＮＨＳＯ２−メチル、又は−ＮＨＳＯ２−フェニルである。極めて特に好ましいＲ１基は、水素、−ＮＨＣＯ−メチル、メチル、及びヒドロキシルである。
【００１６】
Ｒ２は、好ましくは、水素、塩素、臭素、メトキシ、エトキシ、メチル、エチル、ｎ−プロピル、ｓｅｃ−プロピル、ｎ−ブチル、ｓｅｃ−ブチル、又はフェノキシである。極めて特に好ましいＲ２基は、水素及びメトキシである。
【００１７】
Ｒ３は、好ましくは、水素、メチル、エチル、ｎ−プロピル、ｓｅｃ−プロピル、ｎ−ブチル、ｓｅｃ−ブチル、２−シアノエチル、ビニル、アリル、ベンジル、又は式−ＣＨＲ４−ＣｎＨ２ｎ−ＣＨＲ６−ＣＯＯ−ＣＨＲ７−ＣＯ−Ｒ５の基である。極めて特に好ましいＲ３基は、水素、ベンジル、２−シアノエチル、メチル、エチル、ｎ−プロピル、ｎ−ブチル、及び−Ｃ２Ｈ４−ＣＯＯ−ＣＨ２−ＣＯ−ＣＨ３である。
【００１８】
Ｒ４は、好ましくは、水素、メチル、エチル、ｎ−プロピル、ｓｅｃ−プロピル、ｎ−ブチル、ｓｅｃ−ブチル、又はフェニルである。極めて特に好ましいＲ４基は、水素及びメチルである。
【００１９】
Ｒ５は、好ましくは、メチル、エチル、ｎ−プロピル、イソプロピル、ｎ−ブチル、ｓｅｃ−ブチル、又は置換された（Ｃ１〜Ｃ６）−アルキル、たとえば２−シアノエチル、又はシアノメチルである。メチルが、極めて特に好ましいＲ５基である。
【００２０】
Ｒ６は、好ましくは、水素、メチル、又はエチルである。水素が、極めて特に好ましいＲ６基である。
【００２１】
Ｒ７は、好ましくは、水素、メチル、エチル、又はフェニルである。極めて特に好ましいＲ７基は、水素及びメチルである。
【００２２】
Ｒ８は、好ましくは、水素、メチル、エチル、ｎ−プロピル、ｓｅｃ−プロピル、ｎ−ブチル、ｓｅｃ−ブチル、メトキシ、エトキシ、ヒドロキシル、塩素、臭素、−ＮＨＣＨＯ、−ＮＨＣＯ−メチル、−ＮＨＣＯ−フェニル、−ＮＨＳＯ２−メチル、又は−ＮＨＳＯ２−フェニルである。極めて特に好ましいＲ８基は、水素、メチル、−ＮＨＣＯ−メチル、及びヒドロキシルである。
【００２３】
Ｒ９は、好ましくは、水素、塩素、臭素、メトキシ、エトキシ、メチル、エチル、ｎ−プロピル、ｓｅｃ−プロピル、ｎ−ブチル、ｓｅｃ−ブチル、又はフェノキシである。極めて特に好ましいＲ９基は、水素、塩素、メトキシ、及びメチルである。
【００２４】
Ｒ１０は、好ましくは、以下のものである：水素、メチル、エチル、ｎ−プロピル、ｓｅｃ−プロピル、ｎ−ブチル、ｓｅｃ−ブチル、ビニル、アリル、ベンジル、又は式−ＣＨＲ１１−ＣｍＨ２ｍ−（Ｘ）ｏ−Ｒ１２の基（ここで、Ｒ１１、Ｒ１２、Ｘ、ｍ、及びｏはそれぞれ、先に定義されたものである）。極めて特に好ましいＲ１０基は、以下のものである：水素、メチル、エチル、ベンジル、−ＣｘＨ２ｘ−Ｏ−ＣＨ３（ここで、ｘ＝１又は２）、−ＣｘＨ２ｘ−ＣＯＯ−Ｃ２Ｈ５（ここで、ｘ＝１又は２）、−ＣｘＨ２ｘ−ＣＯＯ−ＣＨ３（ここで、ｘ＝１又は２）、−ＣｘＨ２ｘ−ＯＣＯ−Ｃ２Ｈ５（ここで、ｘ＝１又は２）、及びＣｘＨ２ｘ−ＯＣＯ−ＣＨ３（ここで、ｘ＝１又は２）。
【００２５】
Ｒ１１は、好ましくは、水素、メチル、エチル、ｎ−プロピル、ｓｅｃ−プロピル、ｎ−ブチル、ｓｅｃ−ブチル、又はフェニルである。極めて特に好ましいＲ１１基は、水素、又はメチルである。
【００２６】
Ｒ１２は、好ましくは、以下のものである：水素、メチル、エチル、ｎ−プロピル、ｓｅｃ−プロピル、ｎ−ブチル、ｓｅｃ−ブチル、ベンジル、ビニル、アリル、２−（Ｎ−フタルイミドイル）エチル、シアノメチル、２−シアノエチル、又は式−ＣｑＨ２ｑ−Ｙ−ＣｒＨ２ｒ−（Ｚ）ｏ−Ｒ１３の基（ここで、ｑは１、２、３、又は４であり、ｒは、１、２、３、又は４であり、ｏは、０、又は１であり、Ｙは、−ＣＯ−、−ＣＯＯ−、又は−ＯＣＯ−であり、Ｚは、−ＣＯＯ−、又は−ＯＣＯ−であり、そしてＲ１３は、（Ｃ１〜Ｃ６）−アルキル、フェニル、ハロゲン、シアノ、又はヘテロシクリル、特にＮ−フタルイミドイルである）。極めて特に好ましいＲ１２基は、以下のものである：メチル、エチル、２−（Ｎ−フタルイミドイル）エチル、シアノメチル、２−シアノエチル、−ＣｘＨ２ｘ−ＯＣＯ−ＣＨ３（ここで、ｘ＝１又は２）、−ＣｘＨ２ｘ−ＯＣＯ−Ｃ２Ｈ５（ここで、ｘ＝１又は２）、−ＣｘＨ２ｘ−ＣＯＯ−ＣＨ３（ここで、ｘ＝１又は２）、−ＣｘＨ２ｘ−ＣＯＯ−Ｃ２Ｈ５（ここで、ｘ＝１又は２）、−ＣｘＨ２ｘ−ＯＣＯ−ＣｙＨ２ｙ−（Ｎ−フタルイミドイル）（ここで、ｘ及びｙはそれぞれ独立して、１又は２、より好ましくはｘ＝１で、ｙ＝２である）、−ＣｘＨ２ｘ−ＣＯＯ−ＣｙＨ２ｙ−（Ｎ−フタルイミドイル）（ここで、ｘ及びｙはそれぞれ独立して、１又は２、より好ましくはｘ＝１で、ｙ＝２である）、及び−ＣｘＨ２ｘ−ＣＯＯ−ＣｙＨ２ｙ−ＯＣＯ−ＣｚＨ２ｚ−Ｃ６Ｈ５（ここで、ｘ、ｙ、及びｚはそれぞれ独立して、１又は２、より好ましくは、ｘ、ｙ、及びｚがそれぞれ１である）。
【００２７】
Ｘは、好ましくは、−ＣＯ−Ｏ−、−Ｏ−ＣＯ−、又は−Ｏ−である。
【００２８】
Ｒ１３は、好ましくは、シアノである。
【００２９】
Ｒ１４は、好ましくはエチル、より好ましくはメチルである。
【００３０】
Ｒ１５は、好ましくは、以下のものである：メチル、エチル、ｎ−プロピル、ｓｅｃ−プロピル、ｎ−ブチル、ｓｅｃ−ブチル、１−エチルペンチル、メトキシメチル、メトキシエチル、エトキシメチル、エトキシエチル、−ＣｙＨ２ｙ−ＣＯＯ−ＣＨ２−ＣＯ−Ｃ６Ｈ５（ここで、ｙ＝１、２、３、又は４）、又は−ＣｙＨ２ｙ−Ｏ−（Ｃ１〜Ｃ４−アルキル）（ここで、ｙ＝１、２、３、又は４）。
【００３１】
下付文字のｍは、好ましくは、０又は１である。
【００３２】
下付文字のｎは、好ましくは、０又は１である。
【００３３】
下付文字のｏは、好ましくは、１である。
【００３４】
本発明における染料混合物では、以下に示す式Ｉの化合物を使用するのが特に好ましい：
Ｒ１が、水素、−ＮＨＣＯ−メチル、メチル、又はヒドロキシルであり、
Ｒ２が、水素又はメトキシであり、
Ｒ３が、水素、ベンジル、２−シアノエチル、メチル、エチル、ｎ−プロピル、ｎ−ブチル、又は−Ｃ２Ｈ４−ＣＯＯ−ＣＨ２−ＣＯ−ＣＨ３であり、
Ｒ４が、水素又はメチルであり、
Ｒ５が、メチルであり、
Ｒ６が、水素であり、
Ｒ７が、水素又はメチルであり、そして
ｎが、０又は１である。
【００３５】
本発明における染料混合物では、以下に示す式ＩＩの化合物を使用するのが特に好ましい：
Ｒ８が、水素、メチル、−ＮＨＣＯ−メチル、又はヒドロキシルであり、
Ｒ９が、水素、塩素、メトキシ、又はメチルであり、
Ｒ１０が、水素、メチル、エチル、ベンジル、−ＣｘＨ２ｘ−Ｏ−ＣＨ３（ここで、ｘ＝１又は２）、−ＣｘＨ２ｘ−ＣＯＯ−Ｃ２Ｈ５（ここで、ｘ＝１又は２）、−ＣｘＨ２ｘ−ＣＯＯ−ＣＨ３（ここで、ｘ＝１又は２）、−ＣｘＨ２ｘ−ＯＣＯ−Ｃ２Ｈ５（ここで、ｘ＝１又は２）、又は−ＣｘＨ２ｘ−ＯＣＯ−ＣＨ３（ここで、ｘ＝１又は２）であり、
Ｒ１１が、水素又はメチルであり、
Ｒ１２が、メチル、エチル、２−（Ｎ−フタルイミドイル）エチル、シアノメチル、２−シアノエチル、−ＣｘＨ２ｘ−ＯＣＯ−ＣＨ３（ここで、ｘ＝１又は２）、−ＣｘＨ２ｘ−ＯＣＯ−Ｃ２Ｈ５（ここで、ｘ＝１又は２）、−ＣｘＨ２ｘ−ＣＯＯ−ＣＨ３（ここで、ｘ＝１又は２）、−ＣｘＨ２ｘ−ＣＯＯ−Ｃ２Ｈ５（ここで、ｘ＝１又は２）、−ＣｘＨ２ｘ−ＯＣＯ−ＣｙＨ２ｙ−（Ｎ−フタルイミドイル）（ここで、ｘ及びｙはそれぞれ独立して、１又は２、より好ましくはｘ＝１で、ｙ＝２である）、−ＣｘＨ２ｘ−ＣＯＯ−ＣｙＨ２ｙ−（Ｎ−フタルイミドイル）（ここで、ｘ及びｙはそれぞれ独立して、１又は２、より好ましくはｘ＝１で、ｙ＝２である）、又は−ＣｘＨ２ｘ−ＣＯＯ−ＣｙＨ２ｙ−ＯＣＯ−ＣｚＨ２ｚ−Ｃ６Ｈ５（ここで、ｘ、ｙ、及びｚはそれぞれ独立して、１又は２、より好ましくは、ｘ、ｙ、及びｚが１である）であり、
Ｘが、−ＣＯ−Ｏ−、−Ｏ−ＣＯ−、又は−Ｏ−であり、そして
ｍが、０又は１である。
【００３６】
本発明における染料混合物では、以下に示す式ＩＩＩの化合物を使用するのが特に好ましい：
Ｒ１３が、シアノであり、
Ｒ１４が、エチル、又はメチルであり、そして
Ｒ１５が、メチル、エチル、ｎ−プロピル、ｓｅｃ−プロピル、ｎ−ブチル、ｓｅｃ−ブチル、１−エチルペンチル、メトキシメチル、メトキシエチル、エトキシメチル、エトキシエチル、−ＣｙＨ２ｙ−ＣＯＯ−ＣＨ２−ＣＯ−Ｃ６Ｈ５（ここで、ｙ＝１、２、３、又は４）、又は−ＣｙＨ２ｙ−Ｏ−（Ｃ１〜Ｃ４−アルキル）（ここで、ｙ＝１、２、３、又は４）である。
【００３７】
本発明における好ましい染料混合物には、Ｄ１が以下の式（ＩＶａ）のような基である、式（Ｉ）の少なくとも１種の染料を含む：
Ｔ１が、ニトロであり、
Ｔ２が、水素又は塩素であり、
Ｔ３が、水素、塩素、臭素、トリフルオロメチル、シアノ、又はニトロであり、
Ｔ４が、水素、塩素、臭素、トリフルオロメチル、シアノ、又はニトロであり、
Ｒ１が、水素、塩素、メチル、アセチルアミノ、プロピオニルアミノ、ベンゾイルアミノ；メチルスルホニルアミノ、エチルスルホニルアミノ、又はフェニルスルホニルアミノであり、
Ｒ２が、水素又は塩素であり、
Ｒ３が、水素、メチル、エチル、プロピル、ブチル、ベンジル、フェニルエチル、フェノキシエチル、メトキシエチル、シアノエチル、又はアリルであり、
Ｒ４、Ｒ６及びＲ７が、水素であり、
Ｒ５が、メチルであり、そして
ｎが、０又は１である。
【００３８】
本発明における特に好ましい染料混合物には、Ｄ１が以下の式（ＩＶａ）のような基である、式（Ｉ）の少なくとも１種の染料を含む：
Ｔ１が、ニトロであり、
Ｔ２が、水素又は塩素であり、
Ｔ３が、水素、塩素、臭素、トリフルオロメチル、シアノ、又はニトロであり、
Ｔ４が、水素、塩素、臭素、トリフルオロメチル、シアノ、又はニトロであり、
Ｒ１が、水素、メチル、又はアセチルアミノであり、
Ｒ２が、水素又は塩素であり、
Ｒ３が、水素、メチル、エチル、ｎ−ブチル、ベンジル、フェニルエチル、フェノキシエチル、シアノエチル、又はアリルであり、
Ｒ４、Ｒ６及びＲ７が、水素であり、
Ｒ５が、メチルであり、そして
ｎが、０である。
【００３９】
本発明における極めて特に好ましい染料混合物は、以下のような式（Ｉａ）の少なくとも１種の染料を含む。
【化１２】
0005876508.tif 000013
［式中、
Ｔ２が、水素又は塩素であり、
Ｔ３が、水素、塩素、臭素、又はシアノであり、
Ｔ４が、水素、塩素、臭素、シアノ、ニトロ、又はトリフルオロメチルであり、
Ｒ１が、水素、−ＮＨＣＯＣＨ３、又は−ＮＨＳＯ２ＣＨ３であり、そして
Ｒ２が、水素又は−ＯＣＨ３である］
【００４０】
本発明におけるさらに好ましい染料混合物は、以下のような式（ＩＩａ）の少なくとも１種の染料と、
【化１３】
0005876508.tif 000014
［式中、
Ｒ８が、水素、（Ｃ１〜Ｃ６）−アルキル、（Ｃ１〜Ｃ４）−アルコキシ、ヒドロキシル、ハロゲン、−ＮＨＣＨＯ、−ＮＨＣＯ（Ｃ１〜Ｃ６）−アルキル、−ＮＨＣＯ−アリール、−ＮＨＳＯ２（Ｃ１〜Ｃ６）−アルキル、又は−ＮＨＳＯ２−アリールであり、
Ｒ９が、水素、ハロゲン、（Ｃ１〜Ｃ４）−アルコキシ、（Ｃ１〜Ｃ４）−アルキル、又はフェノキシであり、
Ｒ１０が、水素、（Ｃ１〜Ｃ６）−アルキル、置換された（Ｃ１〜Ｃ６）−アルキル、（Ｃ３〜Ｃ４）−アルケニル、若しくは置換された（Ｃ３〜Ｃ４）−アルケニルであるか、又はＲ９とＲ１０とが組み合わさって、残基−Ｃ＊Ｈ（ＣＨ３）ＣＨ２Ｃ（ＣＨ３）２−（ここで＊印をつけた炭素原子がフェニル核に結合している）を形成し、
Ｒ１１が、水素、（Ｃ１〜Ｃ６）−アルキル、又はフェニルであり、
Ｒ１２が、水素、（Ｃ１〜Ｃ６）−アルキル、置換された（Ｃ１〜Ｃ６）−アルキル、（Ｃ３〜Ｃ４）−アルケニル、又は置換された（Ｃ３〜Ｃ４）−アルケニルであり、
ｍが、０、１、２又は３であり、そしてここで、
Ｄ４が、式（ＩＶａ）の基である］
及び／又は式（ＩＩＩａ）の染料とを含む。
【化１４】
0005876508.tif 000015
［式中、
Ｒ１３が、水素、シアノ、又はカルボキサミドであり、
Ｒ１４が、メチル、エチル、又はフェニルであり、
Ｒ１５が、任意に置換された（Ｃ１〜Ｃ６）−アルキル、又は任意に置換された酸素を組込んだ（Ｃ２〜Ｃ６）−アルキルであり、そして
Ｄ５が、式（ＩＶａ）の基である］
【００４１】
本発明におけるさらに極めて好ましい染料混合物は、以下のような式（ＩＩｂ）の少なくとも１種の染料と、
【化１５】
0005876508.tif 000016
［式中、
Ｒ８が、水素、（Ｃ１〜Ｃ６）−アルキル、（Ｃ１〜Ｃ４）−アルコキシ、ヒドロキシル、ハロゲン、−ＮＨＣＨＯ、−ＮＨＣＯ（Ｃ１〜Ｃ６）−アルキル、−ＮＨＣＯ−アリール、−ＮＨＳＯ２（Ｃ１〜Ｃ６）−アルキル、又は−ＮＨＳＯ２−アリールであり；
Ｒ９が、水素、ハロゲン、（Ｃ１〜Ｃ４）−アルコキシ、（Ｃ１〜Ｃ４）−アルキル、又はフェノキシであり、
Ｒ１０が、水素、（Ｃ１〜Ｃ６）−アルキル、置換された（Ｃ１〜Ｃ６）−アルキル、（Ｃ３〜Ｃ４）−アルケニル、若しくは置換された（Ｃ３〜Ｃ４）−アルケニルであるか、又はＲ９とＲ１０とが組み合わさって、残基−Ｃ＊Ｈ（ＣＨ３）ＣＨ２Ｃ（ＣＨ３）２−（ここで＊印をつけた炭素原子がフェニル核に結合している）を形成し、
Ｒ１１が、水素、（Ｃ１〜Ｃ６）−アルキル、又はフェニルであり、
Ｒ１２が、水素、（Ｃ１〜Ｃ６）−アルキル、置換された（Ｃ１〜Ｃ６）−アルキル、（Ｃ３〜Ｃ４）−アルケニル、又は置換された（Ｃ３〜Ｃ４）−アルケニルであり、
ｍが、０、１、２、又は３であり、そして
Ｄ６が、式（ＩＶａ）の基（ここで、Ｔ１はニトロである）である］
及び／又は式（ＩＩＩｂ）の染料とを含む。
【化１６】
0005876508.tif 000017
［式中、
Ｒ１３が、水素、シアノ、又はカルボキサミドであり、
Ｒ１４が、メチル、エチル、又はフェニルであり、
Ｒ１５が、任意に置換された（Ｃ１〜Ｃ６）−アルキル、又は任意に置換された酸素を組込んだ（Ｃ２〜Ｃ６）−アルキルであり、そして
Ｄ７が、式（ＩＶａ）の基（ここで、Ｔ１はニトロ又は−ＯＣＨ３である）である］
【００４２】
本発明におけるさらに極めて特に好ましい染料混合物は、以下のような式ＩＩｃの少なくとも１種の染料と、
【化１７】
0005876508.tif 000018
［式中、
Ｒ８が、水素、メチル、メトキシ、エトキシ、ヒドロキシル、塩素、臭素、−ＮＨＣＯＣＨ３、又は−ＮＨＣＯＣＨ２ＣＨ３であり、
Ｒ９が、水素、メチル、−ＯＣＨ３、−ＯＣＨ２ＣＨ３、塩素、又は臭素であり、
Ｒ１０が、水素、（Ｃ１〜Ｃ６）−アルキル、又は置換された（Ｃ１〜Ｃ６）−アルキルであり、
Ｒ１１が、水素、メチル、又はフェニルであり、
Ｒ１２が、水素、（Ｃ１〜Ｃ６）−アルキル、又は置換された（Ｃ１〜Ｃ６）−アルキルであり、
ｍが、０、１、２、又は３であり、そして
Ｄ８が、式（ＩＶａ）の基であり、
（式中、
Ｔ１が、ニトロであり、
Ｔ２が、水素であり、
Ｔ３が、水素、塩素、臭素、ニトロ、シアノ、又はヒドロキシルであり、そして
Ｔ４が、水素、塩素、臭素、ニトロ、又はシアノである）］
及び／又は式（ＩＩＩｃ）の染料とを含む。
【化１８】
0005876508.tif 000019
［式中、
Ｒ１３が、水素、シアノ、又はカルボキサミドであり、
Ｒ１４が、メチル、エチル、又はフェニルであり、
Ｒ１５が、場合によっては置換された（Ｃ１〜Ｃ６）−アルキルであり、そして
Ｄ９が、式（ＩＶａ）の基である
（式中、
Ｔ１が、ニトロ又は−ＯＣＨ３であり、
Ｔ２が、水素であり、
Ｔ３が、水素、塩素、臭素、ニトロ、又はシアノ、又はヒドロキシルであり、そして
Ｔ４が、水素、塩素、臭素、ニトロ、又はシアノである）］
【００４３】
本発明における特に好ましい染料混合物は、以下のような式（Ｉｂ）の少なくとも１種の染料と、
【化１９】
0005876508.tif 000020
［式中、
Ｔ３が、水素、塩素、臭素、又はシアノであり、
Ｔ４が、シアノ又はニトロであり、
Ｒ１が、水素又は−ＮＨＣＯＣＨ３であり、そして
Ｒ２が、水素又は−ＯＣＨ３である］
及びさらには、式ＩＩｄの少なくとも１種の染料とを含む。
【化２０】
0005876508.tif 000021
［式中、
Ｒ８が、水素、−ＮＨＣＯＣＨ３、又は−ＮＨＣＯＣＨ２ＣＨ３であり、
Ｒ９が、水素、−ＯＣＨ３、又は−ＯＣＨ２ＣＨ３であり、
Ｒ１０が、水素、（Ｃ１〜Ｃ６）−アルキル、又は置換された（Ｃ１〜Ｃ６）−アルキルであり、
Ｒ１２が、水素、（Ｃ１〜Ｃ６）−アルキル、又は置換された（Ｃ１〜Ｃ６）−アルキルであり、
そしてここで、
Ｔ３が、水素、塩素、臭素、ニトロ、シアノ、又はヒドロキシルであり、そして
Ｔ４が、水素、塩素、臭素、ニトロ、又はシアノである］
【発明を実施するための形態】
【００４４】
本発明における染料混合物には、式（Ｉ）の染料が、（ＩＩ）又は（ＩＩＩ）との混合物の形で、より詳細には、それぞれ１〜９９重量％の量で、より好ましくは、それぞれの場合において２０〜８０重量％で含まれる。本発明における、極めて特に好ましい染料混合物は、式（Ｉ）の染料を、３０〜６０重量％の量で、そして式（ＩＩ）又は（ＩＩＩ）の染料を、４０〜７０重量％の量で含む。このことは、それぞれ、式Ｉａ、Ｉｂ若しくはＩｃの染料、又は式ＩＩａ、ＩＩｂ、ＩＩｃ若しくはＩＩｄの染料、又は式ＩＩＩａ、ＩＩＩｂ若しくはＩＩＩｃの染料を含む混合物に対しても準用して適用される。
【００４５】
式（Ｉ）の染料の、式（ＩＩ）の染料又は式（ＩＩＩ）の染料に対する適切な混合比は、（９０：１０）から（１０：９０）までの範囲、より具体的には、９０：１０、８０：２０、７５：２５、７０：３０、６０：４０、５５：４５、５０：５０、４５：５５、４０：６０、３０：７０、２５：７５、２０：８０、及び１０：９０である。これもまた、それぞれ、式Ｉａ、Ｉｂ若しくはＩｃの染料、又は式ＩＩａ、ＩＩｂ、ＩＩｃ若しくはＩＩｄの染料、又は式ＩＩＩａ、ＩＩＩｂ若しくはＩＩＩｃの染料を含む混合物に対しても準用して適用される。
【００４６】
本発明における染料混合物は、式（Ｉ）の染料を式（ＩＩ）又は（ＩＩＩ）の染料と機械的に混合することによって得ることができる。より具体的には、それらの量を選択して、所望の組成を有する混合物が得られるようにする。
【００４７】
式（Ｉ）の染料は公知であって、たとえば国際公開第２００８／０４９７５８号パンフレットに記載されている。
【００４８】
本発明における染料混合物は、疎水性材料を染色及び捺染するのに極めて有用であり、得られる染色物及び捺染物は、顕著な色調レベル（ｌｅｖｅｌ  ｓｈａｄｅｓ）及び高い使用堅牢性を特徴としている。特筆すべきは、特にポリエステル及びポリエステル−エラスタン材料の場合においての、傑出した洗濯堅牢性及び接触堅牢性、さらには良好な昇華堅牢性である。
【００４９】
したがって、本発明はさらに、疎水性材料を染色及び捺染するため、すなわち、常法に従って、本発明における染料混合物を着色剤として使用してそのような材料を染色又は捺染するためのプロセスに本発明の染料混合物を使用することを提供する。
【００５０】
上述の疎水性の材料は、合成由来のものであっても、半合成由来のものであってもよい。例としては以下のものが挙げられる：二級セルロースアセテート、セルローストリアセテート、ポリアミド、ポリラクチド、及び特には、高分子量ポリエステル。高分子量ポリエステルからなる材料として特に挙げられるのは、ポリエチレンテレフタレート又はポリトリメチレンテレフタレートをベースとするものである。たとえばポリエステル−綿又はポリエステル−エラスタンなどの混紡の布地及び混紡繊維もまた可能である。その疎水性合成材料は、自立式のフィルム／シートの形態、又は布地の形状若しくは糸の形状のものとして存在させることが可能であり、また、加工してヤーン又は織布若しくは編織布に加工されたものであってもよい。繊維質織物材料が好ましく、それらはたとえばミクロ繊維の形態で存在していてもよい。
【００５１】
本発明によって提供される用途における染色は、常法に従って、好ましくは水性分散体から、適切であればキャリヤーの存在下に、吸尽プロセスによって８０〜約１１０℃の間で、又はＨＴプロセスによって染色オートクレーブ中１１０〜１４０℃で、さらには、染液を用いて布地をパジングし、次いで約１８０〜２３０℃で固着／セットさせる、いわゆる熱固着プロセスによって実施することができる。
【００５２】
上述の材料の捺染は、本発明の染料混合物を捺染糊の中に組み入れ、それを用いて捺染すべき布地を、１８０〜２３０℃の間の温度でＨＴスチーム、高圧スチーム、又は乾熱を用い、適切であればキャリヤーの存在下に処理して染料を固着させることにより、自体公知の方法で実施することができる。
【００５３】
本発明の染料混合物は、それらを染液、パジング液、又は捺染糊の中で使用する場合には、きわめて微細な分散状態とするべきである。
【００５４】
それらの染料は常法に従って、それらを液状媒体中、好ましくは水中で分散剤とともにスラリー化させ、その混合物に剪断力の作用を与えて、元々存在していた染料粒子を機械的に微粉化させて、最適な比表面積が得られ、染料の沈降が最小となるようにすることによって、微細分散状態とする。これは、適切なミル、たとえばボールミル又はサンドミル中で実施される。染料の粒径は一般に、０．５〜５μｍの間、好ましくは約１μｍと同じくらいが好ましい。
【００５５】
ミリング操作において使用される分散剤は、ノニオン性であってもアニオン性であってもよい。ノニオン性分散剤はたとえば、アルキレンオキシドたとえばエチレンオキシド又はプロピレンオキシドと、アルキル化可能な化合物たとえば脂肪族アルコール、脂肪族アミン、脂肪酸、フェノール、アルキルフェノール及びカルボキサミドとの反応生成物などである。アニオン性分散剤はたとえば、リグノスルホネート、アルキル−若しくはアルキルアリールスルホネート、又はアルキルアリールポリグリコールエーテルスルフェートなどである。
【００５６】
そのようにして得られた染料調製物は、ほとんどの用途では、流し込みが可能となるようにするべきである。したがって、染料と分散剤の含量は、それらの場合においては限定される。一般的には、その分散体は、５０重量パーセントまでの染料含量、そして約２５重量パーセントまでの分散剤含量となるように調節する。経済的な理由から、染料含量は多くの場合、１５重量パーセント以上である。
【００５７】
分散体には、さらなる助剤が含まれていてもよいが、そのようなものとしてはたとえば、酸化剤として機能するものたとえばｍ−ニトロベンゼンスルホン酸ナトリウム、又は殺かび剤たとえばナトリウムｏ−フェニルフェノキシド及びナトリウムペンタクロロフェノキシド、特にいわゆる「酸供与体」たとえば、ブチロラクトン、モノクロロアセトアミド、クロロ酢酸ナトリウム、ジクロロ酢酸ナトリウム、３−クロロプロピオン酸のナトリウム塩、モノスルフェートエステルたとえば、ラウリルスルフェート、並びにエトキシル化及びプロポキシル化アルコールの硫酸エステルたとえば、ブチルグリコールスルフェートなどが挙げられる。
【００５８】
このようにして得られた染料分散体は、染液及び捺染糊を製造するには極めて好適である。
【００５９】
粉体の配合物が好ましいような、ある種の用途分野も存在する。そのような粉体には、染料、分散剤及びその他の助剤、たとえば、濡れ剤、酸化剤、保存剤及び防塵加工剤、並びに上述の「酸供与体」などが含まれる。
【００６０】
粉末状の染料調製物を製造するための好適な方法は、上述の液状染料分散体から、それらの液をたとえば真空乾燥、凍結乾燥、又はドラム乾燥器上の乾燥によってストリッピングさせることからなるが、噴霧乾燥によるのが好ましい。
【００６１】
それらの染液は、必要量の上述の染料配合物を、染色媒体、好ましくは水を用いて希釈して、（１：５）から（１：５０）までの染色のための液比が得られるようにすることによって製造される。さらに、一般的にはその液に対して、さらなる染色助剤、たとえば分散剤、濡れ剤、及び固着助剤を添加するのが普通である。有機酸及び無機酸、たとえば酢酸、コハク酸、ホウ酸又はリン酸を加えて、ｐＨを４〜５、好ましくは４．５に設定する。ｐＨの設定を緩衝化させるのが有利であり、充分な量の緩衝系を添加する。酢酸／酢酸ナトリウムの系が、有利な緩衝系の一例である。
【００６２】
織物の捺染においてその染料混合物を使用するために、必要量の上述の染料配合物を、増粘剤たとえばアルギン酸アルカリ金属など、及び場合によっては、さらなる添加物たとえば固着促進剤、濡れ剤、及び酸化剤と共に、常法に従って混練して捺染糊を得る。
【００６３】
本発明はさらに、インクジェットプロセスによるデジタル織物捺染のためのインキも提供するが、前記インキには本発明における染料混合物が含まれる。
【００６４】
本発明のインキは、水性であるのが好ましく、本発明の染料混合物を、インキの全重量を基準にして、たとえば０．１〜５０重量％の範囲の量、好ましくは１〜３０重量％の範囲の量、より好ましくは１〜１５重量％の範囲の量で含む。
【００６５】
それらには、より具体的には、０．１〜２０重量％の分散剤を含む。好適な分散剤は当業者には公知であって、市場で入手することができ、たとえば以下のようなものが挙げられる：スルホン化若しくはスルホメチル化リグニン、芳香族スルホン酸とホルムアルデヒドとの縮合反応生成物、任意に置換されたフェノールとホルムアルデヒドとの縮合反応生成物、ポリアクリレート及び対応するコポリマー、改質ポリウレタン、並びに、アルキレンオキシドと、アルキル化可能な化合物、たとえば脂肪族アルコール、脂肪族アミン、脂肪酸、カルボキサミド及び任意に置換されたフェノールとの反応生成物。
【００６６】
本発明によるインキには、通常の添加剤をさらに含んでいてもよく、たとえば粘度調整剤を用いて、温度範囲２０〜５０℃における粘度を１．５〜４０．０ｍＰａｓの範囲とする。好ましいインキは１．５〜２０ｍＰａｓの範囲の粘度を有し、特に好ましいインキは１．５〜１５ｍＰａｓの範囲の粘度を有する。
【００６７】
適切な粘度調整剤は、レオロジー添加物たとえば、ポリビニルカプロラクタム、ポリビニルピロリドン、及びさらにはそれらのコポリマー、ポリエーテルポリオール、連合増粘剤、ポリ尿素、アルギン酸ナトリウム、変性ガラクトマンナン、ポリエーテル尿素、ポリウレタン、及びノニオン性セルロースエーテルなどである。
【００６８】
さらなる添加物としては、本発明によるインキには、界面張力を２０〜６５ｍＮ／ｍの範囲に設定するための界面活性剤を含んでいてもよいが、それらは、適切であれば、使用されるプロセス（加熱式、ピエゾ式）に応じて合わせる。
【００６９】
適切な界面活性剤は、たとえば、各種の界面活性剤、好ましくはノニオン性界面活性剤のブチルジグリコール及び１，２−ヘキサンジオールなどである。
【００７０】
このインキには、通常使用される添加物たとえば真菌や細菌の成長を抑制するための物質を、インキの全重量を基準にして０．０１〜１重量％の量でさらに含んでいてもよい。
【００７１】
本発明によるインキは、常法に従って水中でそれらの成分を混合させることによって得ることができる。
【００７２】
以下の実施例を用いて本発明を説明するが、本発明がそれらの実施例に限定される訳ではない。部及びパーセントは、特に記さない限り、重量基準である。重量部と容積部の関係は、キログラムとリットルの関係に等しい。
【実施例】
【００７３】
実施例１
（ａ）
５０部の染料（I−１）を、
【化２１】
0005876508.tif 000022
５０部の染料（ＩＩ−１）と機械的に混合する。
【化２２】
0005876508.tif 000023
【００７４】
次いで、その混合物を、１００部の高温で安定な分散剤と共に４０％の水性懸濁液として、その粒径（直径）が０．１〜５マイクロメートルのサイズになるまで摩砕する。
【００７５】
この分散体は、９９．７部の「希釈剤（ｃｕｔｔｉｎｇ  ａｇｅｎｔ）」を添加し、いずれも粉体の形態で噴霧乾燥器中で乾燥させることによって、２５％の染料混合物と７０％の分散剤とを含む固形製品として標準化する。
【００７６】
（ｂ）
（ａ）に従って得られた染料混合物の２ｇを、４０〜５０℃で１００ｍＬの水の中に分散させる。１１．５ｍＬのこの水性分散体、５７．５ｍＬの脱イオン水、及び１．２ｍＬの緩衝溶液（ｐＨ＝４．５）から染浴を調製し、５ｇのポリエステル片を入れる。Ｗｅｒｎｅｒ  Ｍａｔｈｉｓ高温染色機の中で、その染浴を加熱して１３０℃とし、１３０℃で４５分間維持する。水を用いたすすぎと還元洗浄の後では、そのポリエステル材料は、優れた洗濯堅牢性を持つルビーレッドの色相を有している。この混合物の特に興味を引く性質は、ポリエステル及びポリエステルミクロ繊維上でのその傑出した洗濯堅牢性及び接触堅牢性、並びに良好な昇華堅牢性である。
【００７７】
同様にして実施例１を繰り返して、本発明による実施例２〜２０の染料混合物を得て、ポリエステル染色させるのにそれらを使用する。以下の表では、全染料含量を基準にしたそれぞれの染料を重量％で示している。表示された混合物は、傑出した洗濯堅牢性及び接触堅牢性並びにさらには良好な昇華堅牢性を有する赤色の染色を与える。
【００７８】
【表１】
0005876508.tif 000024
【００７９】
【表２】
0005876508.tif 000025
【００８０】
本発明における染料混合物にはさらに、実施例２１〜２９の染料が含まれていてもよく、それらもまたポリエステルを染色するのに使用してよい。以下の表では、全染料含量を基準にしたそれぞれの染料を重量％で示している。表示された混合物は、傑出した洗濯堅牢性及び接触堅牢性並びにさらには良好な昇華堅牢性を有する赤色の染色を与える。
【００８１】
【表３】
0005876508.tif 000026
【００８２】
本発明における染料混合物にはさらに、実施例３０〜４９の染料が含まれていてもよく、それらもまたポリエステルを染色するのに使用してよい。以下の表では、全染料含量を基準にしたそれぞれの染料を重量％で示している。表示された混合物は、傑出した洗濯堅牢性及び接触堅牢性並びにさらには良好な昇華堅牢性を有する青色の染色を与える。
【００８３】
【表４】
0005876508.tif 000027
【００８４】
【表５】
0005876508.tif 000028
【００８５】
【表６】
0005876508.tif 000029
【００８６】
【表７】
0005876508.tif 000030
【００８７】
上述のものに加えて、本発明における染料混合物には、実施例５０〜６９の染料が含まれていてもよく、それらもまたポリエステルを染色するのに使用してよい。以下の表では、全染料含量を基準にしたそれぞれの染料を重量％で示している。表示された混合物は、傑出した洗濯堅牢性及び接触堅牢性並びにさらには良好な昇華堅牢性を有する青色の染色を与える。
【００８８】
【表８】
0005876508.tif 000031
【００８９】
【表９】
0005876508.tif 000032
【００９０】
【表１０】
0005876508.tif 000033
【００９１】
本発明における染料混合物にはさらに、実施例７０〜８９の染料が含まれていてもよく、それらもポリエステルを染色するのに使用してよい。以下の表では、全染料含量を基準にしたそれぞれの染料を重量％で示している。表示された混合物は、傑出した洗濯堅牢性及び接触堅牢性並びにさらには良好な昇華堅牢性を有する染色を与える。
【００９２】
【表１１】
0005876508.tif 000034
【００９３】
【表１２】
0005876508.tif 000035
【００９４】
【表１３】
0005876508.tif 000036
【００９５】
【表１４】
0005876508.tif 000037
【００９６】
実施例９０
ポリエステルからなる編織布を、５０ｇ／Ｌの８％アルギン酸ナトリウムの溶液、１００ｇ／Ｌの８〜１２％イナゴマメ粉エーテル溶液、及び５ｇ／Ｌのリン酸一ナトリウム（水中）からなる液を用いてパジングして（ｐａｄ−ｍａｎｇｌｅｄ）から、乾燥させる。湿時ピックアップは７０％である。
【００９７】
そのようにして前処理された織物を、先に説明したようにして調製し、以下のものを含む水性インキを用い、ドロップ・オン・デマンド（ピエゾ）インクジェット印刷ヘッドを使用して捺染する：
３．５％の実施例１の染料、
２．５％のＤｉｓｐｅｒｂｙｋ１９０分散剤、
３０％の１，５−ペンタンジオール、
５％のジエチレングリコールモノメチルエーテル、
０．０１％のＭｅｒｇａｌ  Ｋ９Ｎ殺生剤、
５８．９９％の水
捺染物は完全に乾燥させる。過熱水蒸気の手段を用い１７５℃で７分間の加熱により固着させる。次いでその染色物を、アルカリ性の還元洗浄にかけ、温水ですすいでから、乾燥させる。